(57)【要約】【課題】  本発明は、ナットに固定することでナットが緩むことがない仮設足場を提供することを課題とする。【解決手段】  電柱Ｐに取り付けられる足場ボルトＢに螺合するナットＮに固定されると共に、足場ボルトＢと交差する方向に突出する所定長さの足場本体２と、該足場本体２を前記ナットＮに固定可能な固定手段３とを備える仮設足場１であって、前記固定手段３は、前記ナットＮに固定可能なソケット部３１ａ，３１ｂと、該ソケット部３１ａ，３１ｂと一体となっており、ナットＮの緩む方向に対して足場本体２を自重によって回動することを許容すると共に、ナットＮの締まる方向に対して足場本体２をナットＮに固定するラチェット機構３２ａ，３２ｂを有することを特徴とする。【選択図】  図１
2010265720.tif 000002
【特許請求の範囲】
【請求項１】
電柱に取り付けられるボルトに螺合するナットに固定されると共に、ボルトと交差する方向に突出する所定長さの足場本体と、該足場本体を前記ナットに固定可能な固定手段とを備える仮設足場であって、
前記固定手段は、ナットの緩む方向に対して足場本体を自重によって回動することを許容すると共に、ナットの締まる方向に対して足場本体をナットに固定するラチェット機構を有することを特徴とする仮設足場。
【請求項２】
前記ラチェット機構は、足場本体の一端部に設けられるボルトを挿通可能な貫通孔の一方側の開口部に、ナットを取り付け可能な第１ラチェット機構と、前記貫通孔の他方側の開口部にナットを取り付け可能な第２ラチェット機構とを有し、第１ラチェット機構と第２ラチェット機構との回動する方向が逆転している請求項１に記載の仮設足場。
【請求項３】
前記ラチェット機構は、爪が一部に備わっており、該爪は、足場本体の傾きによって、ラチェットから着脱可能な請求項１又は２に記載の仮設足場。
【請求項４】
前記足場本体は、前記ナットと固定手段とのボルトの軸心方向への移動を係止可能な係止部材を備える請求項１〜３のいずれかに記載の仮設足場。
【請求項５】
前記足場本体は、電柱上で必要となる工具及び材料等の作業対象物を吊下げるための吊下げ部を備える請求項１〜４のいずれかに記載の仮設足場。
【発明の詳細な説明】
【技術分野】
【０００１】
本発明は、電柱上で作業する場合において、電柱に取り付けられるボルトに螺合されるナットを利用して仮設する仮設足場に関する。
【背景技術】
【０００２】
従来より、作業者は、足場ボルトを電柱上で作業するための足場として用いていた。該足場ボルトは、ボルトと、該ボルトとは別体のナットと、（スプリング）ワッシャーとから構成されている。そして、足場ボルトは、電柱に埋め込まれている足場ソケットに捩じ込むことで電柱に取り付けられている。さらに、足場ボルトは、ワッシャーとナットとを締め付けることで、足場ソケットから脱落することを防止している（たとえば、特許文献１の段落００１３〜００１６参照）。
【先行技術文献】
【特許文献】
【０００３】
【特許文献１】特開２００１−２５１４３号公報
【発明の概要】
【発明が解決しようとする課題】
【０００４】
しかし、電柱上で行われるさまざまな作業のすべてにおいて、あらかじめ電柱の所定箇所に設けられた足場ボルトのみで対応することに限界がある。ゆえに、電柱上で行われる作業によって、作業者は、充分な足場を確保することができないことがあった。よって、このような作業を行う作業者は、スムーズに作業を行うことができないことがあった。
【０００５】
そこで、このような作業を伴う場合、電柱に足場を仮設して、その不足する足場を確保することが考えられる。たとえば、電柱に足場を仮設する方法は、電柱に取り付けられるボルトに螺合されるナットに仮設足場を取り付ける方法が考えられる。
【０００６】
ここで、該ナットに仮設足場を取り付ける場合、作業者は、仮設足場をナットの締まる方向に力が加わるような位置で取り付けなければならない。たとえば、作業者が仮設足場をナットの緩む方向に力が加わるような位置で取り付けられてしまうと、ナットが緩んでしまう。よって、作業者は、仮設足場をナットに取り付けることができない。
【０００７】
そこで、本発明は、上述した問題に鑑み、ナットに固定することでナットが緩むことがない仮設足場を提供することを課題とする。
【課題を解決するための手段】
【０００８】
本発明に係る仮設足場は、電柱に取り付けられるボルトに螺合するナットに固定されると共に、ボルトと交差する方向に突出する所定長さの足場本体と、該足場本体を前記ナットに固定可能な固定手段とを備える仮設足場であって、前記固定手段は、ナットの緩む方向に対して足場本体を自重によって回動することを許容すると共に、ナットの締まる方向に対して足場本体をナットに固定するラチェット機構を有することを特徴とする。
【０００９】
かかる構成によれば、仮設足場がナットの緩む方向に対して力が加わるような位置でナットに固定された場合、固定手段は、足場本体を自重によって回動することを許容する。よって、固定手段は、固定されたナットを回動させずに、足場本体を自重によって回動させる。そして、足場本体は、仮設足場をナットに固定した位置より下方に下がった状態となる。作業者は、仮設足場がこのような位置にあるため、足を掛けることができない。したがって、仮設足場がナットの緩む方向に対して力が加わるような位置でナットに固定されても、ナットが緩む方向に力が加わることがない。ゆえに、ナットは、仮設足場を動かないように固定することで緩むことがない。
【００１０】
また、仮設足場がナットの締まる方向に対して力が加わるような位置でナットに固定された場合、固定手段は、足場本体をナットに固定する。よって、足場本体は、仮設足場をナットに固定した位置のままとなる。作業者は、仮設足場がこのような位置にあるため、仮設足場に足を掛けることができる。そして、作業者が仮設足場に足を掛けたとしても、ナットは、締まる方向に対して作業者の体重が加わる。ゆえに、ナットは、仮設足場を動かないように固定することで緩むことがない。
【００１１】
よって、作業者が仮設足場をナットの緩む方向及び締まる方向のいずれに対して力が加わるような位置でナットに固定したとしても、ナットは、仮設足場を動かないように固定することで緩むことがない。
【００１２】
また、本発明に係る仮設足場の前記ラチェット機構は、足場本体の一端部に設けられるボルトを挿通可能な貫通孔の一方側の開口部に、ナットを取り付け可能な第１ラチェット機構と、前記貫通孔の他方側の開口部にナットを取り付け可能な第２ラチェット機構とを有し、第１ラチェット機構と第２ラチェット機構との回動する方向が逆転しているように構成することができる。
【００１３】
かかる構成によれば、まず、第１ラチェット機構は、ボルトを貫通孔の一方側の開口部から挿通させ、ボルトに備えられるナットに取り付けられる。そして、仮設足場がナットの緩む方向に対して力が加わるような位置でナットに動かないように固定された場合、固定手段は、足場本体を自重によって回動することを許容する。したがって、足場本体は、仮設足場をナットに固定した位置より下方に下がった状態となる。ゆえに、作業者は、仮設足場がこのような位置にあるため、足を掛けることができない。
【００１４】
また、仮設足場がナットの締まる方向に対して力が加わるような位置でナットに動かないように固定された場合、固定手段は、足場本体をナットに固定する。よって、足場本体は、仮設足場をナットに固定した位置のままとなる。ゆえに、作業者は、仮設足場がこのような位置にあるため、仮設足場に足を掛けることができる。
【００１５】
一方、第２ラチェット機構は、回動する方向を第１ラチェット機構の回動する方向と逆転している。したがって、第２ラチェット機構は、ボルトを貫通孔の他方側の開口部から挿通させ、ボルトに備えられるナットに取り付けられる。このとき、第２ラチェット機構は、第１ラチェット機構の固定手段と同様に、仮設足場がナットの緩む方向に対して力が加わるような位置でナットに動かないように固定された場合、固定手段は、足場本体を自重によって回動することを許容する。そして、足場本体は、仮設足場をナットに固定した位置より下方に下がった状態となる。作業者は、仮設足場がこのような位置にあるため、足を掛けることができない。
【００１６】
また、仮設足場がナットの締まる方向に対して力が加わるような位置でナットに動かないように固定された場合、固定手段は、足場本体をナットに固定する。よって、足場本体は、仮設足場をナットに固定した位置のままとなる。作業者は、仮設足場がこのような位置にあるため、仮設足場に足を掛けることができる。
【００１７】
したがって、作業者がボルトを貫通孔の一方側及び他方側のいずれの開口部から挿通させて、仮設足場をナットの緩む方向及び締まる方向のいずれに対して力が加わるような位置でナットに動かないように固定したとしても、ナットは、仮設足場を固定することで緩むことがない。
【００１８】
また、本発明に係る仮設足場の前記ラチェット機構は、爪が一部に備わっており、該爪は、足場本体の傾きによって、ラチェットから着脱可能なように構成することができる。
【００１９】
かかる構成によれば、仮設足場がナットの緩む方向に対して力が加わるような位置、もしくは、ラチェットから爪が外れるような足場本体の傾きでナットに動かないように固定した場合、固定手段は、足場本体を自重によって回動することを許容する。そして、足場本体は、仮設足場をナットに固定した位置より下方に下がった状態となる。作業者は、仮設足場がこのような位置にあるため、足を掛けることができない。したがって、仮設足場がナットの緩む方向に対して力が加わるような位置でナットに動かないように固定されても、ナットが緩む方向に力が加わることがない。ゆえに、ナットは、仮設足場を固定することで緩むことがない。
【００２０】
また、仮設足場がナットの締まる方向に対して力が加わるような位置で、さらに、ラチェットに爪が取り付くような足場本体の傾きでナットに固定した場合、固定手段は、足場本体をナットに動かないように固定する。よって、足場本体は、仮設足場をナットに固定した位置のままとなる。作業者は、仮設足場がこのような位置にあるため、仮設足場に足を掛けることができる。そして、作業者が仮設足場に足を掛けたとしても、ナットは、締まる方向に対して作業者の体重が加わる。ゆえに、ナットは、仮設足場を固定することで緩むことがない。
【００２１】
よって、作業者が仮設足場をナットの緩む方向及び締まる方向のいずれに対して力が加わるような位置でナットに動かないように固定したとしても、ナットは、仮設足場を固定することで緩むことがない。
【００２２】
また、本発明に係る仮設足場の前記足場本体は、前記ナットと固定手段とのボルトの軸心方向への移動を係止可能な係止部材を備えるように構成することができる。かかる構成によれば、仮設足場は、ボルトの軸心方向への移動を係止することができる。
【００２３】
また、本発明に係る仮設足場の前記足場本体は、電柱上で必要となる工具及び材料等の作業対象物を吊下げるための吊下げ部を備えるように構成することができる。かかる構成によれば、作業者は、吊下げ部に作業対象物を吊下げることができる。
【発明の効果】
【００２４】
以上の如く、本発明に係る仮設足場によれば、ナットに固定することでナットが緩むことがないという優れた効果を奏する。
【図面の簡単な説明】
【００２５】
【図１】第一実施形態に係る仮設足場をナットに取り付けた状態の、（ａ）は、ナットの締まる方向に取り付けた状態の外観図、（ｂ）は、同図（ａ）のナット周りの要部拡大図、を示す。
【図２】第一実施形態に係る仮設足場の、（ａ）は、足場本体の表面の長手方向の中心線で切った断面図、（ｂ）は、図１（ａ）のＡ−Ａ断面図、（ｃ）は、図１（ａ）のＢ−Ｂ断面図、を示す。
【図３】第一実施形態に係る仮設足場をナットに取り付けた状態の、（ａ）は、ナットの緩む方向に取り付けた状態の外観図、（ｂ）は、同図（ａ）のナット周りの要部拡大図、を示す。
【図４】第二実施形態に係る仮設足場をナットに取り付けた状態の、（ａ）は、電柱の上部から見た外観図、（ｂ）は、側面図、を示す。
【発明を実施するための形態】
【００２６】
以下、本発明に係る仮設足場における第一実施形態について、図１〜３を参酌しつつ、説明する。
【００２７】
＜第一実施形態＞
同実施形態に係る仮設足場は、電柱に取り付けられた足場ボルトに、具体的には、該足場ボルトに螺合されたナットに取り付ける例を説明する。まず、足場ボルトは、電柱に設けられた足場ソケットに捩じ込まれている。さらに、足場ボルトは、ワッシャーとナットとを締め付けることで、足場ソケットから脱落することを防止している。
【００２８】
具体的には、足場ボルトは、周面に沿ってねじ山が形成されており、足場ソケットに形成されたねじ溝に螺合することで電柱に取り付けられている。このとき、足場ボルトは、足場ソケットに向かって左方向に回転させることで緩めることができる。また、足場ボルトは、足場ソケットに向かって右方向に回転させることで締付けることができる。
【００２９】
さらに、足場ボルトは、緩む方向に力が加わり、足場ソケットから脱落するのを防止するために、ナットを螺合させている。そして、該ナットは、足場ソケットに向かって締付けることで、脱落を防止している。このとき、ナットは、足場ボルトと同様に、向かって左方向に回転させることで緩めることができる。また、ナットは、右方向に回転させることで締め付けることができる。そして、仮設足場は、このようにして足場ボルトに取り付けられているナットに取り付けられる。
【００３０】
次に、第一実施形態に係る仮設足場の構成について、図１及び図２を参酌しつつ、説明する。なお、図１（ａ）は、電柱Ｐに足場ボルトＢを固定するためのナットＮに固定される仮設足場１を示す外観図であり、同図（ｂ）は、同図（ａ）のナットＮ周りの要部拡大図である。また、図２（ａ）は、表面の長手方向の中心線で切った仮設足場１の断面図であり、同図（ｂ）は、同図（ａ）のＡ−Ａ断面図であり、同図（ｃ）は、同図（ａ）のＢ−Ｂ断面図である。
【００３１】
そして、仮設足場１は、図１（ａ）及び（ｂ）に示すように、電柱Ｐに足場ボルトＢを固定するためのナットＮに固定されると共に、足場ボルトＢと交差する方向に突出するように取り付けられている。そして、仮設足場１は、所定長さの足場本体２と、該足場本体２をナットＮに固定可能な固定手段３とを備えている。
【００３２】
該足場本体２は、図２に示すように、内部が空洞で、所定長さを有する箱体である。そして、足場本体２は、長手方向の中間部分にナットＮを取り付けるために作業者が把持する把持部２１を有する。また、該把持部２１は、作業者が把持する以外にも、足を掛ける足場となる部分でもある。よって、把持部２１の長さは、作業者が把持することができる長さを有し、且つ、作業者の足を掛けることができる長さを有することが望ましい。
【００３３】
また、足場本体２は、長手方向の一端部に設けられる足場ボルトＢを挿通可能な貫通孔２２を有している。該貫通孔２２は、足場本体２の両面を貫通している。また、該貫通孔２２は、前記固定手段３を回動可能に嵌め込まれる部分でもある。詳細は、後述する。
【００３４】
また、足場本体２は、貫通孔２２を有する一端部側と反対の他端部側に、作業対象物を吊下げるための吊下げ部を備えている。本実施形態に係る吊下げ部は、貫通孔２２と同じく両面を貫通する吊下げ孔２３である。そして、作業対象物とは、電柱Ｐ上で作業者が必要となる工具及び材料等である。作業対象物の具体例は、たとえば、電柱Ｐ上で電力線及び通信線（光ファイバーケーブルを含む）の新増設、取替え、撤去並びに保守時に使用される工具や、柱上機器の新増設、取替え、撤去並びに保守時に使用されるケーブル、碍子、ヒューズ等材料や、これらを収納する袋などが含まれる。
【００３５】
また、前記固定手段３は、ナットＮに動かないように固定するために、角数が十二角のソケット部３１ａと、回動方向を一方向に制限するラチェット機構とを有する。そして、ラチェット機構は、貫通孔２２の一方側の開口部に、ナットＮを取り付け可能な第１ラチェット機構３２ａと、前記貫通孔２２の他方側の開口部にナットＮを取り付け可能な第２ラチェット機構３２ｂとを有する。さらに、第一ラチェット機構３２ａ及び第二ラチェット機構３２ｂは、それぞれソケット部３１ａ，３１ｂと一体となっている。
【００３６】
該ソケット部３１ａ，３１ｂは、外形が円筒形状のソケットである。そして、ソケット部３１ａ，３１ｂは、六角のナットＮに対して、十二角の角数を有している。よって、ソケット部３１ａ，３１ｂは、足場ボルトＢに締付けられたナットＮに対して、３０度間隔で動かないように固定することができる。そして、足場本体２の両面に備えられたソケット部３１ａ，３１ｂは、本実施形態では同じサイズであるものとする。よって、仮設足場１は、両面に設けられたいずれのソケット部３１ａ，３１ｂを用いてもよい。
【００３７】
また、該ラチェット機構３２ａ，３２ｂは、ナットＮの緩む方向に対して足場本体２を自重によって回動することを許容すると共に、ナットＮの締まる方向に対して足場本体２をナットＮに固定するようになっている。すなわち、仮設足場２がソケット部３１ａ，３１ｂをナットＮに回動不能に固定すると、足場本体２を、ナットＮの緩む方向、すなわち、左方向の回転方向に対して回動することを許容すると共に、ナットＮの締まる方向、すなわち、右方向の回転方向に対して動かないように固定する。
【００３８】
また、第１ラチェット機構３２ａは、足場本体２の表面を電柱Ｐ側に向けて取り付けるために、表面側の開口部に取り付けられている。また、第２ラチェット機構３２ｂは、足場本体２の裏面を電柱Ｐ側に向けて取り付けるために、裏面側の開口部に取り付けられている。
【００３９】
また、第１ラチェット機構３２ａと第２ラチェット機構３２ｂとは、回動する方向が逆転するように取り付けられている。したがって、第１ラチェット機構３２ａが足場ボルトＮを貫通孔２２の一方側（足場本体２の表面側）から挿通させ、足場ボルトＢの基端部に螺合されるナットＮに取り付けられる場合、第１ラチェット機構３２ａは、足場本体２を、ナットＮの緩む方向、すなわち、左方向の回転方向に対して回動することを許容すると共に、ナットＮの締まる方向、すなわち、右方向の回転方向に対して動かないように固定するようになる。そして、このとき、第２ラチェット機構３２ｂは、回動する方向が逆転しており、足場本体２を、ナットＮの締まる方向、すなわち、右方向の回転方向に対して回動することを許容すると共に、ナットＮの緩む方向、すなわち、左方向の回転方向に対して動かないように固定する。
【００４０】
しかし、第２ラチェット機構３２ｂをナットＮに取り付ける場合、前記第１ラチェット機構３２ａが足場ボルトＮを貫通孔２２の一方側から挿通させたときと足場本体２の表裏を反転させて、すなわち、足場ボルトＮを貫通孔２２の他方側（足場本体２の裏面側）から挿通させて、足場ボルトＢの基端部に備えられるナットＮに取り付けられる。このとき、第２ラチェット機構３２ｂは、第１ラチェット機構３２ａをナットＮに取り付けたときの回動する方向と逆転するため、足場本体２を、ナットＮの緩む方向、すなわち、左方向の回転方向に対して回動することを許容すると共に、ナットＮの締まる方向、すなわち、右方向の回転方向に対して動かないように固定するようになっている。
【００４１】
また、ラチェット機構３２ａ，３２ｂは、一方向の回転を制限し、他方向の回転を許容すべく、ラチェット３３ａ，３３ｂと爪３４ａ，３４ｂとを有している。なお、ラチェット３３ａ，３３ｂは、ソケット３１ａ，３１ｂと一体となっており、爪３４ａ，３４ｂは、足場本体２と回動自在に取り付けられている。
【００４２】
該ラチェット３３ａ，３３ｂは、歯車の一種であり、周方向に多数の歯を有している。そして、ラチェット３３ａ，３３ｂが一方向に回転するときに対向する面は、爪３４ａ，３４ｂを一方向側の他の歯に案内し、また、ラチェット３３ａ，３３ｂが他方向に回転するときに対向する面は、爪３４ａ，３４ｂを該歯に引っ掛けるべく、一方向に向かって傾斜している。
【００４３】
また、ラチェット３３ａ，３３ｂは、それぞれ貫通孔２２の開口面積よりも大きい面積を有する。よって、ラチェット３３ａ，３３ｂは、貫通孔２２の軸心方向への抜け落ちを防止することができる。
【００４４】
また、爪３４ａ，３４ｂは、足場本体２の傾きによって、ラチェット３３ａ，３３ｂから着脱可能となっている。具体的には、爪３４ａ，３４ｂは、ラチェット３３ａ，３３ｂに着脱可能な爪本体３５ａ，３５ｂと、該爪本体３５ａ，３５ｂを足場本体２に回動可能に取り付ける軸部３６ａ，３６ｂとを備えている。そして、爪本体３５ａ，３５ｂは、該軸部３６ａ，３６ｂによって、基端部を貫通させている。そして、爪３４ａ，３４ｂは、軸部３６ａ，３６ｂを中心に回動可能に足場本体２に取り付けられている。そして、取り付けられた爪本体３５ａ，３５ｂは、先端部がラチェット３３ａ，３３ｂの歯に引っ掛かる位置と、該ラチェット３３ａ，３３ｂの歯に引っ掛からない位置との範囲で回動可能となっている。
【００４５】
すなわち、爪３４ａ，３４ｂの先端部が自重によりラチェット３３ａ，３３ｂに取り付くような位置で足場本体２をナットＮに動かないように固定すると、ラチェット３３ａ，３３ｂの歯に爪３４ａ，３４ｂが引っ掛かり、ラチェット機構３２ａ，３２ｂとして作用する。しかし、爪３４ａ，３４ｂの先端部が自重によりラチェット３３ａ，３３ｂから外れるような位置で足場本体２をナットＮに動かないように固定すると、ラチェット３３ａ，３３ｂの歯に爪３４ａ，３４ｂが引っ掛からず、ラチェット機構３２ａ，３２ｂとして作用せず、回動自在となる。
【００４６】
そして、本実施形態に係るラチェット機構３２ａ，３２ｂが足場として利用することから、仮設足場１は、足場ボルトＢと交差して、略水平となるような位置でナットＮに取り付けられる。そして、ナットＮの右側に仮設足場１を突出させるようにナットＮに動かないように固定させる場合、足場本体２は、ナットＮの右回転の方向に対して力が加わっている。すなわち、足場本体２は、ナットＮの締まる方向に対して力が加わっている。そして、足場本体２は、この取り付けられた位置で固定される。
【００４７】
しかし、ナットＮの左側に仮設足場１を突出させるようにナットＮに動かないように固定させる場合、足場本体２は、ナットＮの左回転の方向に対して力が加わってしまう。すなわち、足場本体２は、ナットＮの緩まる方向に対して力が加わってしまう。そして、このようなとき、足場本体２は、この取り付けられた位置で固定され、ナットＮの緩まる方向に対して力が加わることがないようにしなければならない。よって、爪３４ａ，３４ｂは、この位置でラチェット３３ａ，３３ｂから外れるように取り付けられている。
【００４８】
また、ラチェット３３ａ，３３ｂは、複数の歯を（本実施形態では１８個）備えている。これにより、仮設足場１は、ナットＮが足場ボルトＢに対する締め付け状態によって、角度が変わり、すなわち、ナットの面並びに角の位置が変わるため、ソケット部３１を動かないように固定する位置も変わる。しかし、ラチェット３３ａ，３３ｂの一つの歯当たり調整角が２０度（３８０度÷１８＝２０度）であるため、十二角のソケット部３１ａ，３１ｂの１角当たりの調整角（３６０度÷１２角＝３０度）よりも細かく調整することができようになっている。よって、ナットＮの取り付け角度によって、仮設足場１の取り付け角度が制限されないようになっている。
【００４９】
また、第１ラチェット機構３２ａと第２ラチェット機構３２ｂとは、それぞれ独立して回動可能に取り付けられている。すなわち、第１ラチェット機構３２ａ及び第２ラチェット機構３２ｂは、足場本体２の表面側と裏面側とを隔離する仕切り板２４を備えている。そして、第１ラチェット機構３２ａと第２ラチェット機構３２ｂとは、仕切り板２４を跨いで貫通孔２２の軸心方向に移動することが制限されている。ただし、仕切り板２４は、貫通孔２２に足場ボルトＢを挿通させるために、貫通孔２２の一方側の開口部と他方側の開口部とを開通するような開口を設けられている。そして、該開口部は、足場ボルトＢの頭部を含め足場ボルトＢを挿通可能な開口である。
【００５０】
また、貫通孔２２の開口部から仕切り板２４までの軸心方向の距離は、ラチェット３３ａ，３３ｂの厚さよりも長くとられている。そして、貫通孔２２のそれぞれの開口部は、それぞれ内側に向かって延設された円筒部を有する。さらに、ラチェット３３ａ，３３ｂは、該円筒部と仕切り板２４との間に挟まれるように配設される。これによって、ラチェット３３ａ，３３ｂは、貫通孔２２の軸心方向への移動を制限することができる。したがって、仮設足場２は、ソケット部３１ａ，３１ｂを貫通孔２２の軸心方向にずれることなく、ナットＮにソケット部３１ａ，３１ｂを確実に固定することができる。
【００５１】
次に、第一実施形態に係る仮設足場の取り付け方法について、図１及び図３を参酌しつつ、説明する。まず、該仮設足場２は、作業者が容易に持ち運びできるサイズであるため、作業者は、工具袋などに仮設足場２を入れた状態で、仮設足場２が必要な足場ボルトＢの下方まで電柱Ｐを昇柱する。
【００５２】
そして、作業者は、足場本体２の把持部２１を把持し、表裏の両面にある固定手段３にナットＮを動かないように固定する。具体的には、本実施形態では、足場ボルトＢを貫通孔２２の一方側（表面側）の開口部から挿通させ、足場ボルトＢの基端部に備えられるナットＮにソケット部３１ａに動かないように固定する。ここで、仮設足場１は、作業者が把持部２１を足場として用いるために最適な位置となるように取り付ける。
【００５３】
たとえば、図１（ａ）及び（ｂ）に示すようなナットＮから右方向に略水平となるようにソケット部３１ａをナットＮに動かないように固定する。このとき、仮設足場１には、自重によってナットＮに対して右方向に回転（時計まわりに回転）させようとする力が加わる。しかし、この位置では、爪３４ａがラチェット３３ａに取り付いているため、ラチェット機構３２ａが作用する。よって、足場本体２は、仮設足場１に取り付けられた位置で固定される。すなわち、足場本体２は、ナットＮから右方向に略水平となるようになる。なお、ラチェット機構３２ｂは、ソケット部３１ｂにナットＮが固定されていない。また、ナットＮは、固定されたソケット部３１ａとも接続されていない。よって、ラチェット機構３２ａは、なんら作用しない。
【００５４】
また、仮設足場１は、把持部２１を足場として用いるために最適な位置より下方側に固定して、そこから、左方向に回転し（反時計まわりに回転し）、最適な位置の略水平になるまで仮設足場１を回転させることで固定してもよい。このとき、仮設足場１は、ナットＮに対して右方向に回転（時計まわりに回転）させようとする力が加わっている。そして、足場本体２は、自重によって回動せず、ナットＮに固定されている。しかし、これに対して、作業者によって仮設足場１をナットＮに対して左方向に回転（反時計まわりに回転）させると、ラチェット機構３２ａが作用して、足場本体２を回動させることができる。
【００５５】
また、図３（ａ）に示すようなナットＮから左方向に略水平となるようにソケット部３１ａをナットＮに動かないように固定した場合、仮設足場１は、自重によってナットＮに対して左方向に回転（反時計まわりに回転）させようとする力が加わる。しかし、この位置では、爪３４ａがラチェット３３ａから外れているため、ラチェット機構３２ａが作用しない。よって、足場本体２は、自重によりナットＮに対して回動して、仮設足場１をナットＮに固定した位置より下方に下がり、略鉛直となって回動がとまる。作業者は、仮設足場１がこのような位置にあるため、足場本体２の把持部２１に足を掛けることができない。よって、仮設足場１をナットＮの緩める方向に対して力が加わる位置に取り付けたことを認識することができる。
【００５６】
よって、本実施形態に係る仮設足場１は、足場ボルトＢに締め付けられたナットＮに動かないように固定する位置がナットＮの緩む方向及び締まる方向のいずれであっても、ナットＮが緩むことのないように固定することができる。
【００５７】
また、本実施形態に係る仮設足場１は、足場本体２がナットＮの左方向に突出するように取り付けられたとき、爪３４ａがラチェット３３ａから外れて回動自在となる。しかし、爪３４ａがラチェット３３ａに取り付いていても、この位置ではラチェット機構３２ａが作用して、仮設足場１をナットＮに取り付けた位置より下方に下げるようになっている。しかし、仮設足場１の重量を下げることで、ラチェット機構３２ａが作用する力より仮設足場１の自重より小さくなってしまったとき、ラチェット機構３２ａが作用しない可能性がある。
【００５８】
このようなときであっても、本実施形態に係る仮設足場１は、爪３４ａがラチェット３３ａから外れるようになっている。したがって、本実施形態に係る仮設足場１は、仮設足場１の重量に関係なく、仮設足場１をナットＮに取り付けた位置より下方に下げることができ、仮設足場１をナットＮの緩める方向に対して力が加わる位置に取り付けていることを確実に認識することができる。
【００５９】
また、本実施形態に係る仮設足場１は、吊下げ孔２３を利用して、作業対象物を吊下げることができる。
【００６０】
また、本実施形態に係る仮設足場１は、ラチェット３３ａ，３３ｂの歯の数を調整することで、足場本体２の傾きがナットＮの締め付けられた位置によって制限されず、最適な傾きに取り付けることができる。
【００６１】
また、ナットＮが緩んでいた場合、爪３４ａがラチェット３３ａに取り付いている位置で仮設足場１をナットＮに取り付けた場合、仮設足場２は、ラチェット機構３２ａが作用する。よって、足場本体２は、仮設足場１に取り付けられた位置で固定される。そして、さらに、右方向に回転させることで、ナットの締め付けが可能である。よって、わざわざソケットレンチなどを工具袋などから取り出す必要はなく、容易に取り付けることができる。また、誤ってナットＮを緩めてしまうことがないため、作業者は、安心して作業を行うことができる。
【００６２】
次に、本発明に係る仮設足場における第二実施形態について、図４を参酌しつつ、説明する。なお、同図（ａ）は、仮設足場１’をナットＮに取り付けた状態の電柱の上部から見た外観図であり、同図（ｂ）は、その側面図である。
【００６３】
＜第二実施形態＞
同実施形態に係る仮設足場１’は、前記第一実施形態に係る仮設足場１に加え、さらに、前記ナットＮとラチェット機構３２ａ，３２ｂとが足場ボルトＢの軸心方向に移動可能なように係止可能な係止部材４を備えている。
【００６４】
該係止部材４は、長尺の板部材４１と、該板部材４１の両端に略直角に取り付けられた凹部４２，４３とを有している。そして、該板部材４１は、仮設足場１’の一方のソケット部３１ａをナットＮに取り付けた状態で、他方のソケット部３１ｂと足場ボルトＢの頭部の内側までの長さを有している。また、一方の凹部４２は、他方のソケット部３１ｂに掛止可能な窪みを有している。他方の凹部４３は、足場ボルトＢの螺子溝が切られたボルト部分に掛止可能な窪みを有している。そして、該係止部材４は、コの字型に形成されている。
【００６５】
そして、該係止部材４は、仮設足場１をナットＮに取り付けた後に、他方のソケット部３１ｂに一方の凹部４２を、足場ボルトＢの頭部の内側に当接させつつ、足場ボルトＢのボルト部分に他方の凹部４３を掛止する。よって、仮設足場１’は、作業者が作業するのに伴って、足場ボルトＢの軸心方向へ足場本体２が移動しても、足場本体２を係止部材４の一方の凹部４２で支えることができる。そして、仮設足場１’は、足場ボルトＢの軸心方向への移動を制限し、ナットＮとソケット部３１ａとを係止することができる。したがって、仮設足場１は、軸心方向へ移動することによって、ソケット部３１ａがナットＮから脱落することが防止することができる。
【００６６】
なお、本発明は、上記実施形態に限定されず、本発明の要旨を逸脱しない範囲でさまざまな変更が可能である。
【００６７】
また、上記実施形態に係る仮設足場は、爪３４ａ，３４ｂが足場本体２の傾きによって、ラチェット３３ａ，３３ｂから着脱可能になっている例を説明したが、これに限定されるものではなく、爪が足場本体の傾きによって、ラチェットから外れないようになっていてもよい。たとえば、爪は、弾性部材によって、ラチェットに対して常に押し当てられるように取り付けられたり、または、弾性を有する材質により成形し、ラチェットに対して常に取り付けられる位置に取り付けられている。
【００６８】
このような仮設足場は、たとえば、ナットから右方向に略水平となるようにソケット部をナットＮに動かないように固定する。このとき、仮設足場は、自重によってナットに対して右方向に回転（時計まわりに回転）させようとする力が加わり、ラチェット機構が作用する。よって、足場本体は、仮設足場に取り付けられた位置で固定され、すなわち、ナットから右方向に略水平となるようになる。
【００６９】
また、ナットから左方向に略水平となるようにソケット部をナットに固定する場合、このとき、仮設足場は、自重によってナットに対して左方向に回転（反時計まわりに回転）させようとする力が加わり、ラチェット機構が作用する。よって、足場本体は、自重によって回動し、仮設足場をナットに固定した位置より下方に下がる。そして、足場本体は、略鉛直となる位置でとまる。作業者は、仮設足場がこのような位置にあるため、足場本体の把持部に足を掛けることができない。よって、誤って、仮設足場をナットの緩める方向に対して力が加わる位置に取り付けたことを認識することができる。
【００７０】
したがって、このような仮設足場であっても、足場ボルトに締め付けられたナットに動かないように固定する位置がナットの緩む方向及び締まる方向のいずれであっても、ナットが緩むことのないように固定することができる。
【００７１】
また、上記実施形態に係る仮設足場は、足場本体２の傾きがナットＮの左側に突出させるような位置で、ラチェット３３ａ，３３ｂから爪３４ａ，３４ｂが外れるように取り付けられている例を説明したが、これに限定されるものではなく、ラチェットから爪が外れる位置を他の傾きとなるようにしてもよい。
【００７２】
具体的には、仮設足場がナットから右側に突出させるような位置で固定されると、作業者は、この仮設足場に足を掛けやすい。しかし、仮設足場がナットから右斜め下方向に突出させるような位置で固定されると、作業者は、足場本体が右斜め下方向に向いた仮設足場に足を掛けにくい。よって、このような位置に取り付けられたときに、ラチェットから爪が外れるようにする場合について、説明する。
【００７３】
まず、爪は、足場本体がナットから右方向に突出させた状態で、ラチェットに取り付けられる位置とし、かつ、足場本体がナットから右斜め下方向に突出させた状態で、ラチェットから外れる位置に取り付けられる。具体的には、爪は、基端部を足場本体に固定した状態で、先端が略下方に下がる位置とする。すなわち、爪は、図２（ｂ）に示すように、左側に貫通孔２２、右側に吊下げ孔２３がある状態で、貫通孔２２の中心を中心点として、略４５度右上方向の位置で、ラチェットに取り付けられる位置とする。
【００７４】
そして、この仮設足場をナットから右方向に突出させるような位置で固定されると、爪は、ラチェットに取り付いており、ラチェット機構が作用する。したがって、本実施形態と同様に、足場本体は、仮設足場をナットに取り付けた位置でナットに固定される。また、この仮設足場をナットから右斜め下方向に突出させるような位置で固定されると、爪は、ラチェットから外れており、ラチェット機構が作用しない。したがって、足場本体は、ナットに固定されることなく、仮設足場をナットに取り付けた位置より下方に下がる。よって、作業者が仮設足場をナットに対して不適当な位置に取り付けたときに、足場本体は、仮設足場１をナットＮに取り付けた位置より下方に下げることができ、不適当な位置に取り付けていることを確実に認識することができる。
【００７５】
したがって、このような仮設足場であっても、足場ボルトに締め付けられたナットに動かないように固定する位置がナットの緩む方向及び締まる方向のいずれであっても、ナットが緩むことのないように固定することができる。
【００７６】
また、上記実施形態に係る仮設足場は、吊下げ部が作業対象物を吊下げるために足場本体２の表裏を貫通する吊下げ孔２３を備える例を説明したが、これに限定されるものではなく、吊下げ部が該吊下げ孔に吊フックが引っ掛けられているものであってもよいし、足場本体の一部が切り欠いた切り欠け部であってもよい。この切り欠け部は足場本体の長手方向の他端に設けると、表裏どちらを利用しても使用することができる。
【００７７】
また、上記実施形態に係る仮設足場は、足場本体２の一端部にソケット部３１ａ，３１ｂ、及び、ラチェット機構３２ａ，３２ｂが裏表の両面に１基づつ備える例を説明したが、これに限定されるものではなく、足場本体の長手方向の両端部に固定手段を備えるようにしてもよいし、足場本体の一端部又は両端部に備えるラチェット機構が複数備えるようにしてもよい。
【００７８】
具体的には、足場本体の両端部に固定手段を備える場合、仮設足場は、上記実施形態に係る仮設足場１の他端部に備えられた吊下げ部のかわりに、さらに、ラチェット機構を備えている。他端部に取り付けられる該ラチェット機構の回動する方向は、同一面に取り付けられる足場本体の一端部に備えられるラチェット機構と同じとなるように取り付けられている。
【００７９】
また、ラチェット機構の爪を着脱可能に取り付ける場合は、一端部に有するラチェット機構に取り付けられた爪の位置と、回転軸の点対称となる位置に取り付ける。よって、この仮設足場は、足場本体に取り付けられた４つのラチェット機構のいずれを使用しても、ナットが緩むことはなく、容易に該ナットに動かないように固定することができる。
【００８０】
また、足場本体の一端部及び両端部のいずれかに有する表裏の両面若しくは一方の面に備えるラチェット機構を複数備える場合、一方の面（若しくは他方の面）及び両方の面にラチェット機構を長手方向の中心軸に一列に備えられる。そして、ソケット部のサイズをそれぞれ異なるサイズとしてもよいし、同じサイズとしてもよい。
【００８１】
また、上記実施形態に係る仮設足場は、二つのラチェット機構３２ａ，３２ｂを有する固定手段３を例に説明したが、これに限定されるものではなく、固定手段が一つのラチェット機構を有していてもよい。
【００８２】
しかし、上記実施形態のような一つのラチェット機構に対して双方から足場ボルトを挿通可能である場合、どちら側からナットに取り付けるかによって、仮設足場をナットに固定可能な位置と、仮設足場を自重によって回動可能な位置とが逆転する。よって、足場ボルトを挿通可能な一方側の開口部を弾性部材によって開閉可能な蓋を取り付けるようにしてもよい。該蓋は、内側から弾性部材の弾性力によって、一方の開口部を閉じるようになっている。
【００８３】
そして、一方側の開口部から足場ボルトを挿通しようとすると、弾性部材によって一方側の開口部が閉じられており、挿通することができない。一方、他方側の開口部から足場ボルトを挿通しようとすると、蓋の内側を足場ボルトの頂部によって押し開けることができる。よって、蓋によって閉じられていない（他方側の）開口部から足場ボルトを挿通して、ナットに動かないように固定するときに、ナットの緩む方向に対して足場本体を自重によって回動することを許容すると共に、ナットの締まる方向に対して足場本体をナットに動かないように固定するようにすることで、ナットが緩むことがないようにすることができる。
【００８４】
また、上記実施形態に係る仮設足場は、ソケット部３１ａ，３１ｂ及びラチェット機構３２ａ，３２ｂが一体である例を説明したが、これに限定されるものではなく、ソケットハンドルのような、ソケット側に凹部を、ラチェット機構側に凸部を設けて、着脱可能なように取り付けられたものであってもよい。このような仮設足場は、ナットのサイズごとに凹部を有するソケットを複数備えることで、ナットのサイズに合わせて、ソケットを取り替えることができ、一つの仮設足場でさまざまなサイズのナットに動かないように固定することが可能となる。
【００８５】
また、上記実施形態に係る仮設足場は、足場ボルトＢを固定するナットＮに取り付ける例を説明したが、これに限定されるものではなく、腕金などを取り付けるために電柱の外周面から突出する状態で取り付けられている突出ボルトに螺合するナットに動かないように固定するものであってもよい。
【００８６】
また、上記実施形態に係る仮設足場は、ソケット部３１ａ，３１ｂが十二角である例を説明したが、これに限定されるものではなく、ソケット部をナットＮに強固に固定すべく、ナットの角数に合わせて六角としてもよい。この場合、仮設足場をナットに動かないように固定することができる傾きは、ソケット部が六角であるため３０度間隔となる。しかし、本実施形態に係る仮設足場は、ラチェットの歯の数を変更するなどして、目的とする傾きに合わせることができる。また、ナットＮが六角である例を説明したため、ソケット部を六角又は十二角である場合について説明したが、これに限定されるものではなく、ナットが六角以外のものであっても、上記要領でソケット部の角数、及び、ラチェットの歯の数を選択することができる。
【符号の説明】
【００８７】
１…仮設足場、２…足場本体、２１…把持部、２２…貫通孔、２３…吊下げ孔（吊下げ部）、３…固定手段、３１ａ，３１ｂ…ソケット部、３２ａ…第１ラチェット機構、３２ｂ…第２ラチェット機構、３３ａ，３３ｂ…ラチェット、３４ａ，３４ｂ…爪、３５ａ，３５ｂ…爪本体、３６ａ，３６ｂ…軸部、４…係止部材、４１…板部材、４２…（一方の）凹部、４３…（他方の）凹部、Ｐ…電柱、Ｂ…足場ボルト、Ｎ…ナット
【図１】
2010265720.tif 000003
【図２】
2010265720.tif 000004
【図３】
2010265720.tif 000005
【図４】
2010265720.tif 000006